【手続補正書】
【提出日】平成17年9月7日(2005.9.7)
【手続補正１】
【補正対象書類名】明細書
【補正対象項目名】００７６
【補正方法】変更
【補正の内容】
【００７６】
図６は、本発明に係る建築部材の第２実施形態を示す水平断面図である。第２実施形態の建築部材は、第1実施形態と同様に、扉の側縁部に覆材１を固定したものである。芯材３０を框組みし、その表裏面に化粧板３１ａ、３１ｂを貼着した、いわゆるフラッシュ構造の扉において、左右側縁部の表面側化粧板３１ａから側縁部および裏面側化粧板３１ｂにかけて覆材１が固定されている。このように扉側縁部の表裏化粧板３１ａ、３１ｂの上から覆うように覆材１を固定することにより、扉の使用時に衝突の頻度が一番高い側縁部の強度が向上することに加え覆材１の折り曲げられた角部が緩衝効果を持った扉となる。
【手続補正２】
【補正対象書類名】明細書
【補正対象項目名】００８２
【補正方法】変更
【補正の内容】
【００８２】
図１０は、本発明に係る建築部材の第６実施形態を示す断面図である。第６実施形態の建築部材は、下駄箱および玄関収納など、箱状収納体の天板３４の表面側から木口にかけて覆材１が固定されたものである。天板３４は基板３４ｃの表裏に化粧材３４ａ、３４ｂが貼着されたもので、表面側化粧材３４ｂの表面を覆うように本発明の覆材１が固定されている。天板３４の表面に固定された基材３がその厚さ分高くなったことにより、天板の上に載置したものが落下することを防止することができる。
【手続補正３】
【補正対象書類名】明細書
【補正対象項目名】００９０
【補正方法】変更
【補正の内容】
【００９０】
図１６の建築部材は、芯材３０の表面側に化粧板３１が固定されており、化粧板３１の左右木口３１ｅと覆材１の基材３の木口３４ｅが付き合わせた状態で固定されており、表面の化粧板３１より基材３の方が厚いものが用いられているため、化粧板３１と基材３の突合せ部に段差が生じる仕上げとなっている。化粧板と同一の厚さ或いは薄くすることも可能である。また、化粧板３１の色調と覆材１の色調を同色とすることもできるし、異なるものとすることもできる。さらに、表面の化粧板３１を木質系の材料或いは木質柄の化粧シートによる仕上げのものとし、覆材１を金属系の材料或いは金属系の化粧シートによる仕上げのものを組み合わせて使用することも可能である。
【手続補正４】
【補正対象書類名】明細書
【補正対象項目名】００９２
【補正方法】変更
【補正の内容】
【００９２】
図１７は本発明に係る建築部材の第１３実施形態を示す断面図である。第１３実施形態の建築部材は、第1２実施形態と同様に扉の芯材外周に覆材１を固定したものである。芯材３０，３０ｂから３０ｄを框組みし、その表裏面および左右側面に覆材１を貼着した、いわゆるフラッシュ構造の扉を形成するものである。覆材１は、裏面に四本の溝９１から９４が形成され、これらの溝により基材３ｉ、３ｊ、３ｋ、３ｌおよび３ｍに分けられており、四本の溝９１から９４が框組みされた芯材の角部に対応した位置で折り曲げられ、基材が芯材外周全体を覆うように固定されている。
【手続補正５】
【補正対象書類名】明細書
【補正対象項目名】００９３
【補正方法】変更
【補正の内容】
【００９３】
図１７に示す扉は、左側芯材３０の側面部分で、基材３ｉの木口と基材３ｍの木口が接合された状態となっている。この接合部分は、扉として使用する際に一番目立たない部分に配置するのが好ましい。また、図中基材３ｊの表面に意匠上のアクセントの目的で形成されたＶ溝３ｎ部分の底と接合部分を配置することもできる。
【手続補正６】
【補正対象書類名】明細書
【補正対象項目名】００９６
【補正方法】変更
【補正の内容】
【００９６】
図１９は、本発明に係る建築部材の第１５実施形態を示す断面図である。第１５実施形態の建築部材は、コンクリート下地等で形成した下地階段４１の表面に固定された覆材１である。裏面に１本の溝９が形成された覆材１の基材３が、下地階段４１の表面４１ａおよび蹴込み部分４１ｂを覆うように固定され、下地階段４１の角部分４１ｃに溝９が曲面状に折り曲げられた部分が位置するように固定される。更に図８の下地階段は階段表面４１ａと蹴込み部分４１ｂとの角部が直角に形成されているが、溝９部分に弾性があり自由な角度に折り曲げ可能なため、角部４１ｃの角度が任意角度に形成されている下地階段においても、下地階段に沿って固定することができる。
【手続補正７】
【補正対象書類名】明細書
【補正対象項目名】００９７
【補正方法】変更
【補正の内容】
【００９７】
図２０は、本発明に係る建築部材の第１６実施形態を示す断面図である。第１６実施形態の建築部材は、図１９に示した建築部材の第１５実施形態の階段において、覆材１として表裏面に複数本の溝９が形成されたものを用い、溝９の折り曲げを山状と谷状に交互に折り曲げることによって、下地階段４１の表面４１ａおよび蹴込み部分４１ｂを連続して覆うように固定されたものである。
【手続補正８】
【補正対象書類名】明細書
【補正対象項目名】００９９
【補正方法】変更
【補正の内容】
【００９９】
図２２は、本発明に係る建築部材の第１８実施形態を示す断面図である。第１８実施形態の建築部材は、システムキッチン等のワークトップ下地３６の表面側から木口にかけて覆材１が固定されたものである。一般にワークトップはその用途の関係上、常に水に濡れた状態が長く、加熱されたナベ等が載置されるため、耐水性および耐熱性に優れた合成樹脂製或いは金属製などの材質が用いられる。覆材１の基材３および化粧材２０としても一般的にワークトップの材質として用いられるものと同様に耐水性および耐熱性に優れたものを使用することが好ましい。
【手続補正９】
【補正対象書類名】明細書
【補正対象項目名】０１０２
【補正方法】変更
【補正の内容】
【０１０２】
図２４は、本発明の建築部材の第２０実施形態を示す斜視図である。第２０実施形態の建築部材は、覆材１の裏面に四本の溝９１、９２、９３、９４がそれぞれ交差するように形成されており、それぞれの溝部分で折り曲げが可能であり、基板４２の表面および四周木口を覆材１で覆ったものである。図２４の例は基板４２が直方体であり、基板４２に対応した４本の溝は直交しており、対向する溝は平行に形成されている、基板の形状に応じて溝の形成位置は設定される。例えば基板の平面形状が台形であれば溝の形成位置は対応した台形となる。
【手続補正１０】
【補正対象書類名】明細書
【補正対象項目名】０１０３
【補正方法】変更
【補正の内容】
【０１０３】
図２５は、本発明に関わる建築部材の第２１実施形態を示す断面図である。第２1実施形態の建築部材は、建具や収納装置に用いられる吊り引戸５０の上枠５１において、その長手方向に沿って取り付けられる幕板として本発明の覆材１が固定されたものである。吊り引戸５０上部に取り付けられる戸車５２を滑動させるためにレール部材５３が上枠５１に固定され、吊り引戸５０の正面側及び裏面側からこのレール部材５３と戸車５２部分が見えないように、さらに、レール部材５３と吊り引戸５０上端との間にできる隙間から隣室の明かりが漏れないように、覆材１（幕板）が固定される。覆材１の上枠５１への固定は、釘、木ねじ、接着剤など任意の手段によりなされる。
【手続補正１１】
【補正対象書類名】明細書
【補正対象項目名】０１０５
【補正方法】変更
【補正の内容】
【０１０５】
図２６は、本発明に係る造作材の第１実施形態を示す断面図である。第１実施形態の造作材５５は、一方向（紙面に垂直な方向）に延在する基材３と、この基材３の表面（一方の面）５に設けられた化粧材２０とを備える。基材３は溝９を有し、この溝９は一方向に沿って形成され、裏面（他方の面）７に開口する。さらに、溝９は円弧面状（凹曲面状）に形成され、溝９に対応する基材（溝対応基材部分３ｃ）が曲げ可能であるように形成される。さらに、溝９の表面に合成ゴム材（軟質材）２３が設けられる。また、基材の表面５側には装飾溝（凹部）１４が形成されている。基材の裏面７には、配線用または配管用の収容溝（別の溝）５８が設けられる。
【手続補正１２】
【補正対象書類名】図面
【補正対象項目名】図１０
【補正方法】変更
【補正の内容】
【図１０】
2004162250.tif 000001
【手続補正１３】
【補正対象書類名】図面
【補正対象項目名】図１２
【補正方法】変更
【補正の内容】
【図１２】
2004162250.tif 000002
【手続補正１４】
【補正対象書類名】図面
【補正対象項目名】図１６
【補正方法】変更
【補正の内容】
【図１６】
2004162250.tif 000003
【手続補正１５】
【補正対象書類名】図面
【補正対象項目名】図２２
【補正方法】変更
【補正の内容】
【図２２】
2004162250.tif 000004
【手続補正１６】
【補正対象書類名】図面
【補正対象項目名】図２８
【補正方法】変更
【補正の内容】
【図２８】
2004162250.tif 000005